(57)【要約】【課題】電源をＯＮからＯＦＦに切換の操作をする際に、光学ファインダーで被写体像を観察することができる状態に自動的にセットする。電源をＯＦＦからＯＮに切換の操作をする際に、光学ファインダーと電子ビューファインダーとの切換操作が可能な状態に自動的にセットする。【解決手段】電源操作部材１０１に対して連動機構によって連動して移動するように切換制御部材３０を接続する。切換制御部材３０の制御用開口３０bにファインダーミラー１４の被制限部材１４ｂを挿入して、切換制御部材３０がＯＮ位置にあるときにファインダーミラー１４をミラーアップとミラーダウンとが共に可能な状態とすると共に、切換制御部材３０がＯＦＦ位置にあるときにファインダーミラー１４をミラーアップの状態に保持する。【選択図】図１
2010002475.tif 000002
【特許請求の範囲】
【請求項１】
ファインダーへ導く光路上に配置されたファインダーミラーをミラーアップしたときに、撮影レンズを通った被写体像を光学的に観察するように導く第１の光路と、
前記ファインダーミラーをミラーダウンしたときに、前記被写体像を電子画像として観察するように導く第２の光路とを、備えた撮像装置において、
電源のＯＮ位置とＯＦＦ位置との間を移動操作可能に装着された電源操作部材と、
前記電源操作部材に対して連動機構によって接続されることにより、前記電源操作部材がＯＮ位置に移動する動作に連動してＯＮ状態位置に移動されると共に、前記電源操作部材がＯＦＦ位置に移動する動作に連動してＯＦＦ状態位置に移動されるよう装着された切換制御部材と、
前記電源操作部材がＯＮ位置にあるときに前記ファインダーミラーをミラーアップとミラーダウンとが共に可能な状態とすると共に、前記電源操作部材がＯＦＦ位置にあるときに前記ファインダーミラーをミラーアップの状態に保持するように、前記電源操作部材と前記ファインダーミラーとを接続する、動作制御用機構と、
を有することを特徴とする撮像装置。
【請求項２】
前記動作制御用機構は、
前記ファインダーミラーから突設された被制限部材と、
前記切換制御部材に形成された開口であって、前記切換制御部材がＯＮ位置にあるときに前記開口内に挿入された前記被制限部材が前記ファインダーミラーと一体でミラーアップとミラーダウンとの動作が可能な形状で、かつ、前記電源操作部材がＯＦＦ位置にあるときに前記ファインダーミラーをミラーアップの状態に保持する形状に形成された制御用開口と、
を有することを特徴とする請求項１に記載の撮像装置。
【発明の詳細な説明】
【技術分野】
【０００１】
本発明は、いわゆる光学ファインダーと電子ビューファインダーとの切換を可能とした撮像装置に係り、特にカメラ電源操作に対応してファインダー切換を行う撮像装置に関する。
【背景技術】
【０００２】
従来、撮像装置であるデジタルカメラ（電子カメラ）のファインダーには、撮影レンズにより結像された光学画像を確認する光学ファインダ（ＯＶＦ：Ｏｐｔｉｃａｌ  Ｖｉｅｗ  Ｆｉｎｄｅｒ）がある。また、デジタルカメラのファインダーには、撮像素子により生成された電子画像をファインダー内に表示する電子ビューファインダ（ＥＶＦ：Ｅｌｅｃｔｒｉｃ  Ｖｉｅｗ  Ｆｉｎｄｅｒ）がある。
【０００３】
さらに、デジタルカメラのファインダー技術においては、光学ファインダー（ＯＶＦ）と電子ビューファインダー（ＥＶＦ）とを、様々な撮影条件に応じて有利な方を選択して切換るように制御するカメラが提案されている（例えば、特許文献１参照）。
【特許文献１】特開２００４-８５９３５号
【発明の開示】
【発明が解決しようとする課題】
【０００４】
しかしながら、上述したＯＶＦ／ＥＶＦ切換が可能なカメラは、様々な撮影条件に対応してＯＶＦ／ＥＶＦ切換を行うものであって、電源操作部材の動きに応じて、ＯＶＦからＥＶＦへの切換を許容、制限する手段ではない。
【０００５】
よって、このようなＯＶＦ／ＥＶＦ切換が可能なカメラでは、電子ビューファインダー（ＥＶＦ）でカメラを使用しているときに電源をＯＦＦした場合に、ＥＶＦが維持されることになる。この場合には、ＯＶＦ／ＥＶＦ切換が可能なカメラのファインダーを覗いたときに光学的に被写体像を観察することができない状態となってしまう。その結果、電子ビューファインダーに切換られた状態のカメラでは、レンズを付け替えたときにおけるレンズの確認や、ファインダー内のゴミの確認をすることができなくなる。
【０００６】
本発明の目的は、電源をＯＮからＯＦＦに切換の操作をする際に、光学ファインダーで被写体像を観察することができる状態に自動的にセットされ、電源をＯＦＦからＯＮに切換の操作をする際に、光学ファインダーと電子ビューファインダーとの切換操作が可能な状態に自動的にセットされるようにした撮像装置を提供することにある。
【課題を解決するための手段】
【０００７】
上記目的を達成するために、請求項１記載の撮像装置は、ファインダーへ導く光路上に配置されたファインダーミラーをミラーアップしたときに、撮影レンズを通った被写体像を光学的に観察するように導く第１の光路と、前記ファインダーミラーをミラーダウンしたときに、前記被写体像を電子画像として観察するように導く第２の光路とを、備えた撮像装置において、電源のＯＮ位置とＯＦＦ位置との間を移動操作可能に装着された電源操作部材と、前記電源操作部材に対して連動機構によって接続されることにより、前記電源操作部材がＯＮ位置に移動する動作に連動してＯＮ状態位置に移動されると共に、前記電源操作部材がＯＦＦ位置に移動する動作に連動してＯＦＦ状態位置に移動されるよう装着された切換制御部材と、前記電源操作部材がＯＮ位置にあるときに前記ファインダーミラーをミラーアップとミラーダウンとが共に可能な状態とすると共に、前記電源操作部材がＯＦＦ位置にあるときに前記ファインダーミラーをミラーアップの状態に保持するように、前記電源操作部材と前記ファインダーミラーとを接続する、動作制御用機構と、を有することを特徴とする。
【発明の効果】
【０００８】
本発明によれば、撮像装置において、電源をＯＮからＯＦＦに切換の操作をする際に、光学ファインダーで被写体像を観察することができる状態に自動的にセットできる。また、電源をＯＦＦからＯＮに切換の操作をする際に、光学ファインダーと電子ビューファインダーとの切換操作が可能な状態に自動的にセットできるという効果を奏する。
【発明を実施するための最良の形態】
【０００９】
以下、本発明の実施の形態について図面を参照しながら説明する。
【００１０】
図１は、本発明の実施の形態に係わる撮像装置に用いるＯＶＦ／ＥＶＦ切換ロック機構がＯＮ状態にあるときの平面図である。
【００１１】
図２は、本発明の実施の形態に係わる撮像装置に用いるＯＶＦ／ＥＶＦ切換ロック機構を示す正面図である。
【００１２】
図３は、図１及び図２に示すＯＶＦ／ＥＶＦ切換ロック機構を備えた撮像装置であるデジタル一眼レフカメラの平面図である。
【００１３】
図４は、図１及び図２に示すＯＶＦ／ＥＶＦ切換ロック機構を備えた撮像装置であるデジタル一眼レフカメラの正面図である。
【００１４】
図５は、図４のＢ−Ｂ矢視線によって切断して、デジタル一眼レフカメラ内部の光路を示す概略構成図である。
【００１５】
図６は、図１に示すＯＶＦ／ＥＶＦ切換ロック機構がＯＦＦ状態にあるときの平面図である。
【００１６】
図７は、撮像装置に設けたＯＶＦ／ＥＶＦ切換ロック機構における電源操作対応ＯＶＦ切換処理の手順を示すフローチャートである。
【００１７】
図３及び図４において、本実施の形態に係わる撮像装置としてのデジタル一眼レフカメラでは、カメラ本体１００の上部に、カメラの電源操作を行うための電源操作部材１０1を配置する。これと共に、カメラ本体１００の背面部には、被写体像を観察するためのファインダー接眼部１０２を配置する。なお、カメラ本体１００の正面部には、撮影レンズ（図５に図示）を着脱可能に取り付ける。
【００１８】
図５に示すように、カメラ本体１００では、その前面部に配置した撮影レンズ１０４の鏡筒内部に、撮影レンズ１及び絞り機構２が配置されている。さらに、カメラ本体１００内部には、撮影レンズ１０４の後方に続く撮影用の光路に沿って、一端３ａを中心として回動可能に装着された可動ミラー３、フォーカルプレーンシャッタ７及び撮像素子６が順次配置されている。
【００１９】
また、カメラ本体１００の内部には、可動ミラー３の上方からファインダー接眼部１０２の接眼レンズ９に続くファインダー用の光路上に、ピント板４、コンデンサーレンズ５及びペンタリズム８を配置する。
【００２０】
このペンタリズム８と接眼レンズ９との間には、ＯＶＦ／ＥＶＦを切換えるために、回動軸１４ａを中心に回動操作されるファインダーミラー１４を配置する。
【００２１】
このカメラ本体１００の内部には、ファインダーミラー１４の上方に、投光レンズ１０及び表示器１１を配置して、電子画像をファインダー内に表示する電子ビューファインダー（ＥＶＦ）を構成する。
【００２２】
なお、図５では、図示を容易にするための便宜上、ファインダーミラー１４の上方に、電子ビューファインダー（ＥＶＦ）が配置されているように記載したが、この構成に限定されるものではない。
【００２３】
さらに、カメラ本体１００の内部には、ファインダーミラー１４を回動させる駆動系１５と、この駆動系１５及び表示器１１の動作制御を行う制御部（ＣＰＵ）２０と、を配置する。これと共に、カメラ本体１００は、撮影時の条件を検知して判定するための図示しない撮影条件判定手段（撮像条件検知部）を有する。この撮影条件判定手段は、電子ビューファインダー（ＥＶＦ）表示にすべき撮影状態か否かを判定する。
【００２４】
制御部２０は、撮影条件判定手段で電子ビューファインダー（ＥＶＦ）表示すべき撮影状態であると判定した場合に、駆動系１５を制御してファインダーミラー１４を所定角度回動して、被写体像を電子画像として観察する第２の光路Ｏ”に切換える。
【００２５】
この制御部２０は、撮影条件判定手段で光学ファインダー（ＯＶＦ）により被写体像を観察すべき撮影状態であると判定した場合に、駆動系１５を制御してファインダーミラー１４を所定角度回動する。これにより、ファインダーミラー１４は、光学的に被写体像を観察する第１の光路Ｏ’に切換えられる。
【００２６】
また、このカメラ本体１００は、駆動系１５によるファインダーミラー１４の駆動動作を、電源操作部材１０１の動作に連動して光路の切換を許容し又は強制的に制限するための強制切換手段を備える。
【００２７】
この強制切換手段は、電源操作部材１０１の動作に連動して移動操作される切換制御部材３０によって、ファインダーミラー１４の動作を機械的に許容又は制止するように構成する。このため、切換制御部材３０は、電源操作部材１０１とファインダーミラー１４との間に橋渡すように配置する。
【００２８】
図１、図２及び図６に示すように、切換制御部材３０は、矩形長板状に形成し、その長手方向中間部に、長手方向に沿って直線状に延びる開口であるガイド溝３０dを形成する。
【００２９】
この切換制御部材３０は、そのガイド溝３０dに、カメラ本体１００内の所定の固定部材に配置された長円形のリブ状突部であるガイド部材３２が摺動自在に挿入された状態で、取り付けられる。これにより切換制御部材３０は、ガイド溝３０dの部分がガイド部材３２にガイドされることによって、往復移動可能に装着される。
【００３０】
また、切換制御部材３０の長手方向中間部に突設したフック３０cと、カメラ１００内における電源操作部材１０１近くの固定部材に設けたフック部１００aとの間には、引張コイルばねであるばね部材３１を張架する。これにより、切換制御部材３０は、ばね部材３１によって、電源操作部材１０１側に付勢される。
【００３１】
この切換制御部材３０と、電源操作部材１０１とは、連動機構によって接続する。
【００３２】
この連動機構を構成するため、切換制御部材３０における電源操作部材１０１に臨む端部には、切換制御部材３０の長手方向に直交する方向に沿って所定長さの直線状開口に形成した被動溝３０ａを穿設する。
【００３３】
この切換制御部材３０の被動溝３０ａには、電源操作部材１０１に連動機構を構成するために一体的に設けられたアーム部の自由端部に突設した操作突部１０１ａを、摺動自在に挿入する。
【００３４】
この電源操作部材１０１は、ダイヤル状に構成され、撮影者１３が電源操作部材１０１を所定角度回動してＯＦＦ位置とＯＮ位置とに移動することによりＯＮ／ＯＦＦ操作ができるよう、移動操作可能に構成されている。
【００３５】
この電源操作部材１０１がＯＦＦ位置とＯＮ位置とに回動操作されると、電源操作部材１０１と一体のアーム部の操作突部１０１ａは、所定角度だけ旋回するように移動する。すると、この操作突部１０１ａは、切換制御部材３０の被動溝３０ａ内を摺動しながら、切換制御部材３０を、ばね部材３１の付勢力に抗しながら、ガイド溝３０d内を摺動するガイド部材３２にガイドされる方向に沿って移動させる。
【００３６】
このようにして、電源操作部材１０１のＯＮ位置への回動操作に連動して、切換制御部材３０は、図１に示すＯＮ状態位置であるミラーアップ及びミラーダウン可能の位置に移動される。
【００３７】
また、電源操作部材１０１のＯＦＦ位置への回動操作に連動して、切換制御部材３０は、図６に示すＯＦＦ状態位置であるミラーアップの位置に移動される。
【００３８】
この切換制御部材３０には、ファインダーミラー１４に臨む端部に、動作制御用機構を構成するための制御用開口３０bを形成する。さらに、この動作制御用機構を構成するため、ファインダーミラー１４の側辺中間部の所定位置には、棒状の被制限部材１４ｂを、その先端部が制御用開口３０bの開口内に臨むように突設する。
【００３９】
このように構成した動作制御用機構では、撮影者１３がカメラ１００の電源操作部材１０１を操作してＯＮ位置に移動させた図１に示すＯＮ状態において、切換制御部材３０が最もファインダーミラー１４側に移動した状態となる。
【００４０】
この動作制御用機構では、ＯＮ状態において、被制限部材１４ｂが、ＯＮ位置にある制御用開口３０b内で、ファインダーミラー１４のミラーアップの位置と、ミラーダウン可能の位置とに移動して切換えが可能なように構成されている。このファインダーミラー１４では、ミラーアップの状態（図６の状態）で、光学的に観察する第１の光路Ｏ’が設定されるように構成されている。また、このファインダーミラー１４では、ミラーダウン可能の状態（図１の状態）で、被写体像を電子画像として観察する第２の光路Ｏ”が設定されるように構成されている。
【００４１】
このため、この動作制御用機構では、制御用開口３０bを、ＯＮ位置にあるときに内部に挿入されている被制限部材１４ｂがミラーアップの位置とミラーダウンの位置とに移動可能となるような大きさの矩形開口に形成する。
【００４２】
さらに、この動作制御用機構では、図６に示すように、ファインダーミラー１４の被制限部材１４ｂが、ＯＦＦ位置にある制御用開口３０bの矩形開口の底辺に支えられて、ミラーアップ状態を維持するように構成されている。
【００４３】
なお、この動作制御用機構では、制御用開口３０bの開口形状は、矩形に限られるものではない。
【００４４】
この制御用開口３０bの開口形状は、ＯＮ状態で被制限部材１４ｂがミラーアップ位置と、ミラーアップとミラーダウンとが共に可能な位置との間を移動する際の軌跡を内包する形状であることを条件とする。これと共に、制御用開口３０bの開口形状は、切換制御部材３０が、図１のＯＮ状態位置から図６のＯＦＦ状態のＯＦＦ位置に移動したときに、被制限部材１４ｂがミラーアップ位置に保持されることを条件とする。
【００４５】
よって、この制御用開口３０bの開口形状は、上述の２つの条件を満足するものであれば、如何なる変形形状に形成しても良い。
【００４６】
次に、上述のように構成した強制切換手段を利用した、電源操作対応光学ファインダー（ＯＶＦ）切り換え処理の動作について、図７のフローチャートにより説明する。
【００４７】
この強制切換手段では、まず、撮影者１３がカメラ１００の電源操作部材１０１を操作し、ＯＦＦ位置からＯＮ位置に移動させて、電源をＯＮにするまで待機状態となっている。（ステップＳ１１でＮＯ）
次に、撮影者１３がカメラ１００の電源操作部材１０１を操作して電源をＯＮにしたときに（ステップＳ１１でＹＥＳ）、ＯＶＦ／ＥＶＦ切換機構のロックが手動操作で解除される。
【００４８】
すなわち、撮影者１３が電源操作部材１０１を所定角度回転させて電源をＯＮにするときの手動操作に連動して、切換制御部材３０が図６のＯＦＦ状態から図１のＯＮ状態へ機械的に連動して強制的に移動される。
【００４９】
このときの動作では、電源操作部材１０１の操作突部１０１ａが、切換制御部材３０の被動溝３０ａ内を摺動しながらばね部材３１の付勢力に抗して切換制御部材３０を撮影光軸Ｏ側（ファインダーミラー１４側）に移動させる。
【００５０】
これにより、切換制御部材３０の制御用開口３０bによる制限がなくなり、ファインダーミラー１４は、光学的に観察する第１の光路Ｏ’と、被写体像を電子画像として観察する第２の光路Ｏ”に切換え可能な状態となる。これと共に、カメラ１００の電源がＯＮとされたので、制御部２０が制御して実行される起動シーケンスにより撮影スタンバイ状態となる（ステップＳ１２）。
【００５１】
次に、撮影スタンバイ状態において、撮影者１３が撮影動作を行うと、撮影条件（例えば、被写体の輝度、被写体または撮影者の動作等）が検出される（ステップＳ１３）。
【００５２】
この検知された撮影条件に基づいて、制御部２０は、撮影者１３が被写体を観察するのにＯＶＦとＥＶＦとの何れが有利であるかを判別するため、例えば、ＥＶＦの表示条件に合致するかを判別する（ステップＳ１４）。
【００５３】
そして、制御部２０は、ＥＶＦの表示条件に合致すると判定した場合に（ステップＳ１４でＹＥＳ）ＥＶＦの表示を行うよう切換る。（ステップＳ１５）また、制御部２０は、ＥＶＦの表示条件に合致しないと判定した場合に（ステップＳ１４でＮＯ）ＯＶＦの表示を行うよう切換る（ステップＳ１６）。
【００５４】
ここで、制御部２０がＯＶＦとＥＶＦとの何れが有利であるかを判別するための具体的な条件について見ると、以下の通りである。
【００５５】
例えば、撮影条件として、撮影時の電池の残量少ないことが検知された場合には、光学ファインダー（ＯＶＦ）の表示を行うよう切換る。
【００５６】
撮影条件として、被写体又は撮影者の動きを検知し、被写体が動いている場合には、光学ファインダー（ＯＶＦ）の表示を行うよう切換る。
【００５７】
撮影条件として、近距離撮影であることが検知された場合には、パララックスの無い電子ビューファインダー（ＥＶＦ）の表示を行うよう切換る。
【００５８】
撮影条件として、測光ポイントの明るさを検知し、激しく明暗差のある撮影シーンである場合には、光学ファインダー（ＯＶＦ）の表示を行うよう切換る。
【００５９】
上述した撮影条件を検知して、制御部２０がＯＶＦとＥＶＦとの何れが有利であるかを判別し、表示を切換る動作（ステップＳ１３〜ステップＳ１６）は、カメラ１００の電源がＯＦＦとされるまで、繰り返し実行される（ステップＳ１７でＮＯ）。
【００６０】
また、撮影者１３が撮影を終えてカメラ１００の電源をＯＦＦに手動操作すると（ステップＳ１７でＹＥＳ）、この動作に機械的に連動してファインダーミラー１４が、第１の光路Ｏ’へと自動的に切換わる。
【００６１】
すなわち、切換制御部材３０がＯＦＦ位置に移動される回転動作によって、電源操作部材１０１の操作突部１０１ａが旋回動作する。このため、操作突部１０１ａは、切換制御部材３０の被動溝３０ａ内を摺動しながら、切換制御部材３０を電源操作部材１０１側（カメラのグリップ１０３側）に移動させる。
【００６２】
すると、切換制御部材３０の制御用開口３０bの底辺によって被制限部材１４ｂが移動されて、ファインダーミラー１４が図１のＯＮ状態から図６のＯＦＦ状態まで移動する。すなわち、ファインダーミラー１４は、回転軸１４ａを中心として回転し、接眼レンズ９の視野外に移動し被写体像を電子画像として観察する第２の光路Ｏ”から光学的に観察する第１の光路Ｏ’へと強制的に切換わる。
【００６３】
この後、制御部２０は、光学ファインダー（ＯＶＦ）表示中の状態を維持したまま、カメラ１００の電源をＯＦＦとして、この電源操作対応ＯＶＦ切り換え処理を終了する（ステップＳ２０）。
【図面の簡単な説明】
【００６４】
【図１】本発明の実施の形態に係わる撮像装置に用いるＯＶＦ／ＥＶＦ切換ロック機構がＯＮ状態にあるときの平面図である。
【図２】本発明の実施の形態に係わる撮像装置に用いるＯＶＦ／ＥＶＦ切換ロック機構を示す正面図である。
【図３】図１及び図２に示すＯＶＦ／ＥＶＦ切換ロック機構を備えた撮像装置であるデジタル一眼レフカメラの平面図である。
【図４】図１及び図２に示すＯＶＦ／ＥＶＦ切換ロック機構を備えた撮像装置であるデジタル一眼レフカメラの正面図である。
【図５】図４のＢ−Ｂ矢視線によって切断して、デジタル一眼レフカメラ内部の光路を示す概略構成図である。
【図６】図１に示すＯＶＦ／ＥＶＦ切換ロック機構がＯＦＦ状態にあるときの平面図である。
【図７】撮像装置に設けたＯＶＦ／ＥＶＦ切換ロック機構における電源操作対応ＯＶＦ切換処理の手順を示すフローチャートである。
【符号の説明】
【００６５】
８  ペンタリズム
９  接眼レンズ
１０  投光レンズ
１１  表示器
１４  ファインダーミラー
１５  駆動系
３０  強制切換手段
１００  カメラ本体
１０１  電源操作部材
Ｏ  撮影光軸
Ｏ’  被写体像を光学的に観察する第１の光路
Ｏ”  被写体像を電子画像として観察する第２の光路
【図１】
2010002475.tif 000003
【図２】
2010002475.tif 000004
【図３】
2010002475.tif 000005
【図４】
2010002475.tif 000006
【図５】
2010002475.tif 000007
【図６】
2010002475.tif 000008
【図７】
2010002475.tif 000009